(57)【要約】      （修正有）【課題】金属シェルを確実に回路板に固定できる金属シェル、該金属シェルを備えた電気コネクタ及び電気コネクタ組立て体を提供する。【解決手段】互いに相対する側に位置する２つの側端部３１１と、後端部３１３とを有する上部板３１と、底端部を有し、前記２つの側端部３１１から下方に延出する２つの側部板３２と、前記２つの側部板３２の底端部に連結され、前記上部板３１と相対するように位置する底部板３３と、前記上部板３１、２つの側部板３２及び底部板３３により囲まれてなる収容室３００と、前記上部板３１から底部板３３へ向かって延出する複数の脚部３５とを備え、前記各脚部３５の両側にそれぞれ、互いに平行する側端３５０が設けられ、該各側端３５０にはそれぞれ半田収容口３５１を設けて構成する。【選択図】図１
0003150829.tif 000002
【実用新案登録請求の範囲】
【請求項１】
互いに相対する側に位置する２つの側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）へ向かって延出する複数の脚部（３５）とを備え、
前記各脚部（３５）の両側にそれぞれ、互いに平行する側端（３５０）が設けられ、該各側端（３５０）にはそれぞれ半田収容口（３５１）が形成されることを特徴とする金属シェル。
【請求項２】
さらに複数の半田付けプレート（３７）を備え、
前記各半田付けプレート（３７）は、延出部（３７１）と、半田付け部（３７２）とを有すると共に、L字状を呈するものであり、
前記延出部（３７１）は、上部板（３１）から底部板（３３）側へ向かって延出するものであると共に、前記半田付け部（３７２）は、延出部（３７１）の底端から内側へ向かって垂直する方向に延出するものであることを特徴とする請求項１に記載の金属シェル。
【請求項３】
前記各側部板（３２）に少なくとも１つの脚部（３５）が設けられると共に、前記上部板（３１）の後端部（３１３）に少なくとも１つの脚部（３５）が設けられることを特徴とする請求項２に記載の金属シェル。
【請求項４】
前記各半田付けプレート（３７）の半田付け部（３７２）は、前記底部板（３３）と平行し、且つ該底部板（３３）の下方に位置することを特徴とする請求項３に記載の金属シェル。
【請求項５】
前記各側部板（３２）には、少なくとも１つの半田付けプレート（３７）が形成されることを特徴とする請求項４に記載の金属シェル。
【請求項６】
金属シェル（３０）と、インシュレーター（１０）と、複数の端子（２０）とを備え、
前記金属シェル（３０）は、互いに相対する側に位置する２つの側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）に向かって延出する複数の脚部（３５）とを備え、
前記各脚部（３５）の両側にそれぞれ、互いに平行する側端（３５０）が設けられ、該各側端（３５０）にはそれぞれ半田収容口（３５１）が形成され、
前記インシュレーター（１０）は、ベース（１１）と、該ベース（１１）の前端から前方に向かって延出する舌部（１２）とを有すると共に、該収容室（３００）に設置され、
前記複数の端子（２０）は、インシュレーター（１０）におけるベース（１１）に貫設されると共に、該舌部（１２）に設置されることを特徴とする金属シェルを備えた電気コネクタ。
【請求項７】
前記ベース（１１）に複数の端子（２０）を収容するための複数の端子穴（１１１）が貫設されると共に、前記舌部（１２）の底面に、該複数の端子（２０）を収容するための複数の端子溝（１２１）が形成されることを特徴とする請求項６に記載の金属シェルを備えた電気コネクタ。
【請求項８】
金属シェル（３０）と、インシュレーター（１０）と、複数の端子（２０）と、回路板（P）とを備え、
前記回路板（P）は、複数の貫通孔（T）を有すると共に、前記金属シェル（３０）の下方に設置されるものであり、
前記金属シェル（３０）は、互いに相対する側に位置する側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）に向って延出する複数の脚部（３５）とを備え、
該各脚部（３５）は、その両側にそれぞれ、互いに平行し半田収容口（３５１）が形成される側端（３５０）を有すると共に、それぞれ対応する前記貫通孔（T）に挿設されて回路板（P）に半田付けされ、前記インシュレーター（１０）は、ベース（１１）と、該ベース（１１）の前端から前方へ向かって延出する舌部（１２）とを有すると共に、該収容室（３００）に設置され、
前記複数の端子（２０）は、インシュレーター（１０）におけるベース（１１）に貫設されると共に、該舌部（１２）に設置されることを特徴とする電気コネクタ組立て体。
【請求項９】
前記金属シェル（３０）には、複数の半田付けプレート（３７）が形成され、各半田付けプレート（３７）は、延出部（３７１）と、前記回路板（P）に半田付けされる半田付け部（３７２）とを有すると共に、L字状を呈するものであり、
前記延出部（３７１）は、上部板（３１）から底部板（３３）に向って延出するものであると共に、前記半田付け部（３７２）は、延出部（３７１）の底端から内側へ向かって垂直する方向に延出して前記回路板（P）の上方に位置するものであることを特徴とする請求項９に記載の電気コネクタ組立て体。
【請求項１０】
前記各脚部（３５）の半田収容口（３５１）は、前記回路板（P）における貫通孔（T）と位置合わせされることを特徴とする請求項９に記載の電気コネクタ組立て体。
【考案の詳細な説明】
【技術分野】
【０００１】
本考案は、特に半田収容口が形成される複数の脚部を有し、回路板に実装する際、半田等の接合剤を容易に該収容口に吸い込ませることにより、回路板との接合強度を向上させるコネクタに関するものである。
【背景技術】
【０００２】
電気コネクタを回路板に実装する方法としては主に、電気コネクタにおける金属シェルに形成された長尺状の脚部を回路板における貫通孔に挿設すると共に、該脚部の周りに半田等の接合剤を敷設して半田付けすることにより、電気コネクタを回路板に固定する方法が採用されている。
【考案の概要】
【考案が解決しようとする課題】
【０００３】
しかしながら、前記従来の方法によれば、金属シェルの所定位置からのずれを防止するために、前記長尺状の脚部と回路板における貫通孔との間の隙間を小さくしなくてはならなく、且つ半田は該隙間に入り込みにくいことから、半田付けによる固定強度が弱くなってしまうと共に、前記金属シェルにおいては半田付け可能な領域が狭いので、半田付けによる固定強度がそれほど期待できないといった問題があった。
【０００４】
そこで、案出されたのが本考案であって、従来のコネクタにおける金属シェル（３０）を、確実に回路板（P）に固定できないといった問題を解決できる金属シェル（３０）、更に該金属シェル（３０）を備えた電気コネクタ及び電気コネクタ組立て体を提供することを目的としている。
【課題を解決するための手段】
【０００５】
本願の請求項１の考案は、互いに相対する側に位置する２つの側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）へ向かって延出する複数の脚部（３５）とを備え、
前記各脚部（３５）の両側にそれぞれ、互いに平行する側端（３５０）が設けられ、該各側端（３５０）にはそれぞれ半田収容口（３５１）が形成されることを特徴とする金属シェルを提供する。
【０００６】
本願の請求項２の考案は、さらに複数の半田付けプレート（３７）を備え、前記各半田付けプレート（３７）は、延出部（３７１）と、半田付け部（３７２）とを有すると共に、L字状を呈するものであり、
前記延出部（３７１）は、上部板（３１）から底部板（３３）側へ向かって延出するものであると共に、前記半田付け部（３７２）は、延出部（３７１）の底端から内側へ向かって垂直する方向に延出するものであることを特徴とする請求項１に記載の金属シェル、を提供する。
【０００７】
本願の請求項３の考案は、前記各側部板（３２）に少なくとも１つの脚部（３５）が設けられると共に、前記上部板（３１）の後端部（３１３）に少なくとも１つの脚部（３５）が設けられることを特徴とする請求項２に記載の金属シェル、を提供する。
【０００８】
本願の請求項４の考案は、前記各半田付けプレート（３７）の半田付け部（３７２）は、前記底部板（３３）と平行し、且つ該底部板（３３）の下方に位置することを特徴とする請求項３に記載の金属シェル、を提供する。
【０００９】
本願の請求項５の考案は、前記各側部板（３２）には、少なくとも１つの半田付けプレート（３７）が形成されることを特徴とする請求項４に記載の金属シェル、を提供する。
【００１０】
本願の請求項６の考案は、金属シェル（３０）と、インシュレーター（１０）と、複数の端子（２０）とを備え、
前記金属シェル（３０）は、互いに相対する側に位置する２つの側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）に向かって延出する複数の脚部（３５）とを備え、
前記各脚部（３５）の両側にそれぞれ、互いに平行する側端（３５０）が設けられ、該各側端（３５０）にはそれぞれ半田収容口（３５１）が形成され、
前記インシュレーター（１０）は、ベース（１１）と、該ベース（１１）の前端から前方に向かって延出する舌部（１２）とを有すると共に、該収容室（３００）に設置され、
前記複数の端子（２０）は、インシュレーター（１０）におけるベース（１１）に貫設されると共に、該舌部（１２）に設置されることを特徴とする金属シェルを備えた電気コネクタ、を提供する。
【００１１】
本願の請求項７の考案は、前記ベース（１１）に複数の端子（２０）を収容するための複数の端子穴（１１１）が貫設されると共に、前記舌部（１２）の底面に、該複数の端子（２０）を収容するための複数の端子溝（１２１）が形成されることを特徴とする請求項６に記載の金属シェルを備えた電気コネクタ、を提供する。
【００１２】
本願の請求項８の考案は、金属シェル（３０）と、インシュレーター（１０）と、複数の端子（２０）と、回路板（P）とを備え、
前記回路板（P）は、複数の貫通孔（T）を有すると共に、前記金属シェル（３０）の下方に設置されるものであり、
前記金属シェル（３０）は、互いに相対する側に位置する側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）に向って延出する複数の脚部（３５）とを備え、
該各脚部（３５）は、その両側にそれぞれ、互いに平行し半田収容口（３５１）が形成される側端（３５０）を有すると共に、それぞれ対応する前記貫通孔（T）に挿設されて回路板（P）に半田付けされ、前記インシュレーター（１０）は、ベース（１１）と、該ベース（１１）の前端から前方へ向かって延出する舌部（１２）とを有すると共に、該収容室（３００）に設置され、
前記複数の端子（２０）は、インシュレーター（１０）におけるベース（１１）に貫設されると共に、該舌部（１２）に設置されることを特徴とする電気コネクタ組立て体を提供する。
【００１３】
本願の請求項９の考案は、前記金属シェル（３０）には、複数の半田付けプレート（３７）が形成され、各半田付けプレート（３７）は、延出部（３７１）と、前記回路板（P）に半田付けされる半田付け部（３７２）とを有すると共に、L字状を呈するものであり、
前記延出部（３７１）は、上部板（３１）から底部板（３３）に向って延出するものであると共に、前記半田付け部（３７２）は、延出部（３７１）の底端から内側へ向かって垂直する方向に延出して前記回路板（P）の上方に位置するものであることを特徴とする請求項９に記載の電気コネクタ組立て体を提供する。
【００１４】
本願の請求項１０の考案は、前記各脚部（３５）の半田収容口（３５１）は、前記回路板（P）における貫通孔（T）と位置合わせされることを特徴とする請求項９に記載の電気コネクタ組立て体を提供する。
【考案の効果】
【００１５】
本考案は上記の課題を解決するものであり、回路板に実装する際、半田が金属シェルにおける脚部の半田収容口と、回路板における貫通孔との間の隙間に入り込み易いので、固定強度をより向上させることができると共に、L字状を呈する半田付けプレートに半田付け部を設けることにより、半田付けに利用可能な領域を大きくしたので、より確実に金属シェルを回路板に接続固定することができる。
【図面の簡単な説明】
【００１６】
【図１】本考案に係る金属シェルの正面視斜視図である。
【図２】本考案に係る電気コネクタの底面視斜視図である。
【図３】本考案に係るコネクタの正面視分解斜視図である。
【図４】本考案に係るコネクタの断面図である。
【図５】本考案に係るコネクタが半田付けにより回路板に実装された状態を示す正面視断面図である。
【図６】本考案に係るコネクタが半田付けにより回路板に実装された状態を示す側面視部分断面図である。
【考案を実施するための最良の形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係る金属シェルの正面視斜視図であり、図２は本考案に係る電気コネクタの底面視斜視図であり、図３は本考案に係るコネクタの正面視分解斜視図であり、図４は本考案に係るコネクタの断面図であり、図５は本考案に係るコネクタが半田付けにより回路板に実装された状態を示す正面視断面図であり、図６は本考案に係るコネクタが半田付けにより回路板に実装された状態を示す側面視部分断面図である。
【００１９】
図１乃至図３及び図５に示すように、本考案に係る電気コネクタ組立て体は、インシュレーター（１０）と、複数の端子（２０）と、金属シェル（３０）とを有する電気コネクタと、回路板（P）とを備えるものである。
【００２０】
前記インシュレーター（１０）は、複数の端子穴（１１１）が貫設されるベース（１１）と、該ベース（１１）の前端から前方へ向かって延出すると共に、底面に複数の端子溝（１２１）が形成される舌部（１２）とを有する。
図４に示すように、前記複数の端子（２０）はそれぞれ、対応する前記ベース（１１）における端子穴（１１１）に貫設されると共に、対応する前記舌部（１２）における端子溝（１２１）に設置される。
【００２１】
図６に示すように、前記金属シェル（３０）は、前記インシュレーター（１０）と複数の端子（２０）を被包すると共に、互いに相対する側に位置する２つの側端部（３１１）と、後端部（３１３）とを有する上部板（３１）と、
底端部を有し、前記２つの側端部（３１１）から下方に延出する２つの側部板（３２）と、
前記２つの側部板（３２）の底端部に連結され、前記上部板（３１）と相対するように位置する底部板（３３）と、
前記上部板（３１）、２つの側部板（３２）及び底部板（３３）により囲まれてなる収容室（３００）と、
前記上部板（３１）から底部板（３３）に向かって延出する複数の脚部（３５）と、
前記２つの側部板（３２）から延設され、L字状を呈する複数の半田付けプレート（３７）と、を備えるものであり、
前記各脚部（３５）は、平行する２つの側端（３５０）を有すると共に、該各側端（３５０）にはそれぞれ、１つの半田収容口（３５１）が形成される。
前記半田付けプレート（３７）は、前記上部板（３１）から底部板（３３）側へ向かって延出する延出部（３７１）と、該延出部（３７１）の底端から内側へ垂直する方向に、且つ底部板（３３）と平行するように延出すると共に、該底部板（３３）の下方に半田付け部（３７２）が設けられる。
【００２２】
尚、本実施例においては、前記各側部板（３２）に少なくとも１つの脚部（３５）が設けられると共に、前記上部板（３１）の後端部（３１３）に少なくとも１つの脚部（３５）が設けられ、更に、該各側部板（３２）に少なくとも１つの半田付けプレート（３７）が設けられる。
【００２３】
また、前記回路板（P）は、複数の貫通孔（T）を有すると共に、前記金属シェル（３０）の下方に設置されるものであり、該金属シェル（３０）における複数の脚部（３５）は、半田収容口（３５１）が貫通孔（T）との位置合わせ部分と対応するように挿設されて回路板（P）上に半田付けされ、前記半田付け部（３７２）は該回路板（P）の上面に半田付けされる。
【産業上の利用可能性】
【００２４】
本考案は上記の構成を有するので、以下に示すような利点がある。
１．
半田付けによって本考案に係るコネクタを回路板（P）に実装する時、半田は金属シェル（３０）における脚部（３５）の半田収容口（３５１）と、回路板（P）における貫通孔（T）との間の隙間に完全に入り込むので、固定強度をより向上させることができる。
２．
L字状を呈する半田付けプレートに半田付け部を設けることにより、半田付けに利用可能な領域を広くしたので、より確実に金属シェル（３０）を回路板（P）に接続固定することができる。
【符号の説明】
【００２５】
１０        インシュレーター
１１        ベース
１１１      端子穴
１２        舌部
１２１      端子溝
２０        端子
３０        金属シェル
３００      収容室
３１        上部板
３１１      側端部
３１３      後端部
３２        側部板
３３        底部板
３５        脚部
３５０      側端
３５１      半田収容口
３７        半田付けプレート
３７１      延出部
３７２      半田付け部
P           回路板
T           貫通孔
【図１】
0003150829.tif 000003
【図２】
0003150829.tif 000004
【図３】
0003150829.tif 000005
【図４】
0003150829.tif 000006
【図５】
0003150829.tif 000007
【図６】
0003150829.tif 000008
【手続補正書】
【提出日】平成21年3月28日(2009.3.28)
【手続補正１】
【補正対象書類名】実用新案登録請求の範囲
【補正対象項目名】請求項９
【補正方法】変更
【補正の内容】
【請求項９】
前記金属シェル（３０）には、複数の半田付けプレート（３７）が形成され、各半田付けプレート（３７）は、延出部（３７１）と、前記回路板（P）に半田付けされる半田付け部（３７２）とを有すると共に、L字状を呈するものであり、前記延出部（３７１）は、上部板（３１）から底部板（３３）に向って延出するものであると共に、前記半田付け部（３７２）は、延出部（３７１）の底端から内側へ向かって垂直する方向に延出して前記回路板（P）の上方に位置するものであることを特徴とする請求項８に記載の電気コネクタ組立て体。